(57)【特許請求の範囲】
【請求項１】
爪付きワッシャに頭部付きの取付用ネジを嵌挿し、アンテナベースに下方から前記取付用ネジを螺入し、前記爪付きワッシャは、平面から見て一部が開口された略Ｃ字状であるとともに上縁部から上方に向けて係止爪を突設し、この係止爪の外径を車体に穿設した取付孔に挿通できるように設定し、前記アンテナベースに前記爪付きワッシャの前記開口に臨む楔状部材を設け、前記取付用ネジの前記頭部に前記爪付きワッシャの下部内径に対して上部外径が小さく下側外径が大きくテーパ状に拡がる円錐面状部を設け、前記取付用ネジの締め付け回転と供回りしようとする前記爪付きワッシャの前記開口の一端部が当接する前記楔状部材の面を上部が拡がる斜面とし、前記取付用ネジの締め付け螺合に対して前記斜面により前記爪付きワッシャの前記開口の一端部の位置を規制するとともに前記開口を拡大して前記開口の一端部にある前記係止爪の位置が前記取付孔の周縁部に臨むように設定し、前記取付用ネジの前記円錐台部のテーパ状を、前記取付用ネジの締め付け螺合により前記開口を拡大して前記開口の他端部にある前記係止爪が前記取付孔の別の位置の周縁部に臨むように設定して構成したことを特徴とするアンテナ取付構造。
【請求項２】
請求項１記載のアンテナ取付構造において、前記取付用ネジの締め付け螺合により前記開口を拡大してその両端部にある前記係止爪の位置が、前記取付孔の両側の周縁部に臨むように、前記楔状部材を、前記取付孔に対して、前記取付用ネジの締め付け回転方向と反対方向に位置をずらして前記アンテナベースに設けて構成したことを特徴とするアンテナ取付構造。
【請求項３】
アンテナベースから下方に取付用ネジを突設し、前記取付用ネジに爪付きワッシャを下方から嵌挿し、さらに前記取付用ネジの先端部にナットを螺合し、前記爪付きワッシャは、平面から見て一部が開口された略Ｃ字状であるとともに上縁部から上方に向けて係止爪を突設し、しかも前記係止爪を少なくとも前記開口の両端部に設けるとともに前記係止爪の外径を車体に穿設した取付孔に挿通できるように設定し、前記アンテナベースに前記爪付きワッシャの前記開口に臨む楔状部材を設け、前記ナットに前記爪付きワッシャの下部内径に対して上部外径が小さく下側外径が大きくテーパ状に拡がる円錐台部を設け、前記ナットの締め付け回転と供回りしようとする前記爪付きワッシャの前記開口の一端部が当接する前記楔状部材の面を上部が拡がる斜面とし、前記ナットの締め付け螺合に対して前記斜面により前記爪付きワッシャの前記開口の一端部の位置を規制するとともに前記開口を拡大して前記開口の一端部にある前記係止爪の位置が前記取付孔の周縁部に臨むように設定し、前記ナットの前記円錐台部のテーパ状を、前記ナットの締め付け螺合により前記開口を拡大して前記開口の他端部にある前記係止爪が前記取付孔の別の位置の周縁部に臨むように設定して構成したことを特徴とするアンテナ取付構造。
【請求項４】
請求項３記載のアンテナ取付構造において、前記ナットの締め付け螺合により前記開口を拡大してその両端部にある前記係止爪の位置が、前記取付孔の両側の周縁部に臨むように、前記楔状部材を、前記取付孔に対して、前記ナットの締め付け回転方向と反対方向に位置をずらして前記アンテナベースに設けて構成したことを特徴とするアンテナ取付構造。
【発明の詳細な説明】
【技術分野】
【０００１】
本発明は、車体のルーフ等に車載用アンテナのアンテナベースを取り付け固定するアンテナ取付構造に関するものである。
【背景技術】
【０００２】
車載用アンテナを車体のルーフ等に取り付け固定する基本的な構造は、車体のルーフ等に穿設された取付孔に、車載用アンテナのアンテナベースから下方に向けて突設した取付用ネジを上方から挿通し、車内に突出した取付用ネジに対して車内から爪付きワッシャを嵌挿し、さらにナットを螺合して固定する。または、アンテナベースに雌ネジを刻設し、車内から爪付きワッシャを挿通した取付用ネジを車体の取付孔に挿通してアンテナベースの雌ネジに螺合させて固定する。いずれの構造にあっても、爪付きワッシャの係止爪が車体の裏面に食い込み、アンテナベースが取付用ネジおよび爪付きワッシャを介して車体に電気的導通するように構成される。
【０００３】
かかる車載用アンテナのアンテナベースを車体に固定する作業性を改善するための技術を、本出願人は特開２００５−５１４１２号で提案した。当該技術を簡単に説明する。まず、アンテナベースに取付用ネジを下方に向けて突設する。平面から見て一部が開口されて略Ｃ字状で上縁部から上方に向けて係止爪を突設した爪付きワッシャを取付用ネジに嵌挿し、さらに取付用ネジの下端部にナットが螺合される。この係止爪の外径は、車体に穿設した取付孔に挿通できるように設定される。さらに、アンテナベースには、爪付きワッシャの略Ｃ字状の開口に臨んで楔状部材が設けられる。この楔状部材は、取付孔に対して、中央部に位置するようにアンテナベースに設けられる。また、ナットに、爪付きワッシャの下部内径に対して上部外径が小さく下部外径の大きい下側がテーパ状に拡がる円錐台部が形成される。
【０００４】
そして、アンテナベースの取付用ネジに爪付きワッシャを嵌挿させるとともにナットを僅かに螺合させて一体化した状態で、車体の取付孔に上から取付用ネジを挿入する。そして、適宜な仮止め手段により、取付孔より上方への抜けが規制された仮止め状態とする。この仮止め状態で、車内のナットを締め付けると、アンテナベースの楔状部材およびナットの円錐台部のテーパーによる楔効果により爪付きワッシャは開口が拡げられ略Ｃ字状はその径が大きく変形され、上縁部に突設された係止爪もその外径が拡がり、取付孔より大となってその周縁部で車体の裏面に当接する。さらに、ナットを強く締め付けることで、係止爪は車体の裏面に食い込み、アンテナベースが車体に固定されるとともに電気的導通がなされる。
【特許文献１】特開２００５−５１４１２号
【発明の開示】
【発明が解決しようとする課題】
【０００５】
上述した先に提案した技術にあっては、ナットの締め付けに伴い、爪付きワッシャにはナットとともに供回りさせようとする力が作用するが、開口の一端がアンテナベースの楔状部材に当接してその位置が規制されるために、他端のみが供回り方向に拡がって略Ｃ字状はその径が大きなものに変形される。ここで、爪付きワッシャの拡げられた開口の両端部にある係止爪の中央位置は、取付孔に対してナットの供回り方向にずれており、取付孔の両側の周縁部に必ずしも臨まず、爪付きワッシャの開口の一端部の係止爪が取付孔に臨んでしまって、アンテナベースが車体に傾いて固定される虞があった。
【０００６】
本発明は、上述のごとき先に提案した技術の不具合を改善すべくなされたもので、爪付きワッシャの拡げられた開口の両端部にある係止爪の中央位置を、取付孔の中央部の位置となるようにして、拡げられた開口の両端部の係止爪の位置を取付孔の両側の周縁部に確実に臨むようにすることで、アンテナベースを車体に正しい姿勢で確実に固定できるアンテナ取付構造を提供することを目的とする。
【課題を解決するための手段】
【０００７】
かかる目的を達成するために、本発明のアンテナ取付構造は、爪付きワッシャに頭部付きの取付用ネジを嵌挿し、アンテナベースに下方から前記取付用ネジを螺入し、前記爪付きワッシャは、平面から見て一部が開口された略Ｃ字状であるとともに上縁部から上方に向けて係止爪を突設し、この係止爪の外径を車体に穿設した取付孔に挿通できるように設定し、前記アンテナベースに前記爪付きワッシャの前記開口に臨む楔状部材を設け、前記取付用ネジの前記頭部に前記爪付きワッシャの下部内径に対して上部外径が小さく下側外径が大きくテーパ状に拡がる円錐面状部を設け、前記取付用ネジの締め付け回転と供回りしようとする前記爪付きワッシャの前記開口の一端部が当接する前記楔状部材の面を上部が拡がる斜面とし、前記取付用ネジの締め付け螺合に対して前記斜面により前記爪付きワッシャの前記開口の一端部の位置を規制するとともに前記開口を拡大して前記開口の一端部にある前記係止爪の位置が前記取付孔の周縁部に臨むように設定し、前記取付用ネジの前記円錐台部のテーパ状を、前記取付用ネジの締め付け螺合により前記開口を拡大して前記開口の他端部にある前記係止爪が前記取付孔の別の位置の周縁部に臨むように設定して構成されている。
【０００８】
そして、前記取付用ネジの締め付け螺合により前記開口を拡大してその両端部にある前記係止爪の位置が、前記取付孔の両側の周縁部に臨むように、前記楔状部材を、前記取付孔に対して、前記取付用ネジの締め付け回転方向と反対方向に位置をずらして前記アンテナベースに設けて構成することもできる。
【０００９】
また、アンテナベースから下方に取付用ネジを突設し、前記取付用ネジに爪付きワッシャを下方から嵌挿し、さらに前記取付用ネジの先端部にナットを螺合し、前記爪付きワッシャは、平面から見て一部が開口された略Ｃ字状であるとともに上縁部から上方に向けて係止爪を突設し、しかも前記係止爪を少なくとも前記開口の両端部に設けるとともに前記係止爪の外径を車体に穿設した取付孔に挿通できるように設定し、前記アンテナベースに前記爪付きワッシャの前記開口に臨む楔状部材を設け、前記ナットに前記爪付きワッシャの下部内径に対して上部外径が小さく下側外径が大きくテーパ状に拡がる円錐台部を設け、前記ナットの締め付け回転と供回りしようとする前記爪付きワッシャの前記開口の一端部が当接する前記楔状部材の面を上部が拡がる斜面とし、前記ナットの締め付け螺合に対して前記斜面により前記爪付きワッシャの前記開口の一端部の位置を規制するとともに前記開口を拡大して前記開口の一端部にある前記係止爪の位置が前記取付孔の周縁部に臨むように設定し、前記ナットの前記円錐台部のテーパ状を、前記ナットの締め付け螺合により前記開口を拡大して前記開口の他端部にある前記係止爪が前記取付孔の別の位置の周縁部に臨むように設定して構成しても良い。
【００１０】
そしてまた、前記ナットの締め付け螺合により前記開口を拡大してその両端部にある前記係止爪の位置が、前記取付孔の両側の周縁部に臨むように、前記楔状部材を、前記取付孔に対して、前記ナットの締め付け回転方向と反対方向に位置をずらして前記アンテナベースに設けて構成することもできる。
【発明の効果】
【００１１】
請求項１または３記載のいずれのアンテナ取付構造にあっても、取付用ネジまたはナットの締め付け回転と供回りしようとする爪付きワッシャの開口の一端部の位置を、楔状部材の斜面で規制するとともに供回りと反対方向に拡大させて、開口の一端部にある係止爪が取付孔の周縁部に臨む位置となる。また、取付用ネジまたはナットの円錐台部のテーパ状で、取付用ネジまたはナットの締め付け螺合により爪付きワッシャの開口を大きく拡大させて、開口の他端部にある係止爪が大きく供回り方向に移動されて、取付孔の別の位置の周縁部に臨む位置となる。よって、爪付きワッシャの拡げられた開口の両端部にある係止爪の位置を、取付孔の両側の周縁部に確実に臨むようにすることができ、アンテナベースを車体に正しい姿勢で確実に固定できる。
【００１２】
請求項２または４記載のいずれのアンテナ取付構造にあっても、楔状部材を、取付孔に対して、取付用ネジまたはナットの締め付け回転方向と反対方向に位置をずらしてアンテナベースに設けてあるので、取付用ネジまたはナットの締め付け螺合により開口が拡大されて、開口の一端部にある係止爪の位置が供回りと反対方向に少し移動し、開口の他端部にある係止爪の位置が供回り方向に大きく変化しても、両端部にある係止爪の位置が取付孔に対してほぼ対称の位置となり、取付孔の両側の周縁部に確実に臨ませて、アンテナベースを車体に正しい姿勢で固定することができる。
【発明を実施するための最良の形態】
【００１３】
以下、本発明の第１実施例を図１ないし図７を参照して説明する。図１は、アンテナベースにケースやアンテナエレメントおよびゴムパッキンが組み付けられたアンテナ組み立て体を示し、（ａ）は正面図、（ｂ）は底面図、（ｃ）はケーブルを省いた右側面図である。図２は、図１（ｂ）のＡ矢視要部拡大図である。図３は、爪付きワッシャを示し、（ａ）は平面図、（ｂ）は正面図、（ｃ）は底面図、（ｄ）は左側面図、（ｅ）は右側面図である。図４は、ケーブルを省いたアンテナ組み立て体に、爪付きワッシャと取付用ネジを組み付ける前の第１実施例の分解図である。図５は、ケーブルを省いたアンテナ組み付け体に爪付けワッシャと取付用ネジを組み付けて一体としたものを車体の取付孔に上方から挿入することを示す図である。図６は、アンテナ組み立て体に爪付きワッシャと取付用ネジを組み付けて一体としたものを取付孔に挿入して仮止め状態とした底面図である。図７は、図６の仮止め状態から取付用ネジを締め付けて爪付きワッシャを変形させて車体に固定した状態を示す底面図である。
【００１４】
図１において、アンテナベース１０の上面に、図示しないアンテナ回路もしくは増幅回路等が搭載され、これを収容するようにケース１２が配設され、さらにケース１２にロッド状のアンテナエレメント１４の基端部が固定される。また、アンテナベース１０の下面には、ゴムパッキン１６が配設される。そして、アンテナベース１０は導電金属で形成され、その下面に平面形状が長方形の隣接する２つの隅が面取されたような形状の凸部１０ａが設けられ、さらにこの凸部１０ａに外形が円柱状の円柱部１０ｂが設けられ、その中央で上下方向に雌ネジ１０ｃが刻設される。また、凸部１０ａと円柱部１０ｂの周面に跨り、下方が狭いテーパ状の楔状部材１０ｄが形成される。この楔状部材１０ｄは、アンテナベース１０の中心線Ｂに対して、雌ネジ１０ｃに下方から螺入する取付用ネジ２０（詳細には後述する）の螺合締め付け回転方向と反対方向に適宜な角度だけずらして配設される。しかも、楔状部材１０ｄの取付用ネジ２０の螺合締め付け回転方向と反対側の面に、凸部１０ａの下面の近くまで伸びる寸法の長い斜面１０ｅが形成されている。また、凸部１０ａには、上下方向にケーブル挿通孔１０ｆが貫通穿設され、信号伝送路などのケーブル２２が導出される。さらに、凸部１０ａに上下方向に貫通穿設された仮止め爪用孔に、弾性樹脂からなる仮止めホルダーの仮止め爪２６、２６が挿通されている。なお、この仮止め爪２６、２６によりアンテナベース１０を車体２４の取付孔２４ａ（詳細には後述する）に仮止めする技術は、公知であり詳細な説明を省略する。これらのアンテナベース１０の下面に設けられた凸部１０ａなどは、ゴムパッキン１６の略中央部に設けた孔１６ａから下方に突出するように設けられている。
【００１５】
また、爪付きワッシャ１８は、導電金属板で形成され、図３に示すごとく、下方が狭い略円錐台状に形成され、平面から見て一部が開口１８ａされて略Ｃ字状とされる。そして、上縁部には、開口１８ａの両端部と開口１８ａの反対側の３箇所に、上方に向けて３つの係止爪１８ｂ、１８ｂ、１８ｂが突設される。これらの３つの係止爪１８ｂ、１８ｂ、１８ｂで形成される円の外径は、自然状態で取付孔２４ａを挿通し得る寸法に設定される。また、略円錐台状の上部内径は、自然状態でアンテナベース１０の円柱部１０ｂの外径より僅かに大きく設定される。
【００１６】
そして、取付用ネジ２０は、導電金属で形成され、図４に示すごとく、平面六角形の頭部２０ａを備え、この頭部２０ａのネジ棒側に円錐面状部２０ｂが形成される。この円錐面状部２０ｂは、爪付きワッシャ１８の自然状態における下部内径よりも上部外径が僅かに小さく下側外形が大きくテーパ状に拡がるように構成される。
【００１７】
上述する各部材の組み付けは、まず図４に示すごとき配列で、アンテナベース１０の雌ネジ１０ｃに、下方から爪付きワッシャ１８を嵌挿した取付用ネジ２０の先端部を僅かに螺入させて、図５のごとく、アンテナベース１０に取付用ネジ２０と爪付きワッシャ１８が一体化された状態とする。かかる組み付けられた状態において、アンテナベース１０の楔状部材１０ｄに、爪付きワッシャ１８の開口１８ａが臨む位置関係に配設される。
【００１８】
かかる一体化した組み付け体を、図５に示すごとく、車体２４の取付孔２４ａに、上方から取付用ネジ２０および爪付けワッシャ１８およびアンテナベース１０の凸部１０ａを挿入する。ここで、車体２４の取付孔２４ａは、図６に示すごとく、アンテナベース１０の凸部１０ａの平面形状よりも僅かに大きな寸法で穿設されている。そこで、取付孔２４ａに凸部１０ａが挿入されると、取付用ネジ２０の軸回りの回転が規制され、また取付用ネジ２０と直交する方向への位置ずれも規制される。さらに、取付孔２４ａに凸部１０ａが挿入されることで、仮止め爪２６、２６が取付孔２４ａの周縁部の裏面に係止されて上方への抜けが規制される。もって、アンテナ組み立て体が、車体２４の取付孔２４ａに仮止めされた状態となる。
【００１９】
そして、図６の仮止めされた状態において、取付用ネジ２０をアンテナベース１０の雌ネジ１０ｃに強く螺入すると、爪付きワッシャ１８はアンテナベース１０の楔状部材１０ｄと円柱部１０ｂおよび取付用ネジ２０の円錐面状部２０ｂにより略Ｃ字状がその径が大きくなるように変形して開かれる。そこで、爪付きワッシャ１８の上縁部の３つの係止爪１８ｂ、１８ｂ、１８ｂの径が大きくなり、取付孔２４ａの寸法より大きくなって取付孔２４ａの周縁部の裏面に位置する。さらに、取付用ネジ２０を強く締め付けることにより、係止爪１８ｂ、１８ｂ、１８ｂが車体２４の裏面に位置をずらしながら食い込む。もって、アンテナベース１０が、車体２４に固定され、また取付用ネジ２０および爪付きワッシャ１８を介して車体２４に電気的導通がなされる。
【００２０】
ここで、爪付きワッシャ１８の略Ｃ字状の径を拡大する動作において、取付用ネジ２０の締め付け回転に伴い、摩擦力により爪付きワッシャ１８には軸回りに供回りさせようとする力が作用する。しかし、爪付きワッシャ１８の開口１８ａの一端部は、アンテナベース１０の楔状部材１０ｄの斜面１０ｅに当接していて、その位置が規制され、さらに斜面１０ｅに沿って供回り回転と反対方向にその位置がずれ、図７に示すごとく、開口１８ａの一端部にある係止爪１８ｂがＰ１からＱ１へと移動し、取付孔２４ａの周縁部の裏面に臨む位置となる。また、開口１８ａの他端部にある係止爪１８ｂは、供回り方向に大きく拡げられ、Ｐ２からＱ２へと大きく移動され、開口１８ａの他端部にある係止爪１８ｂは取付孔２４ａの反対側の別の位置の周縁部の裏面に臨む位置となる。さらに、略Ｃ字状の径の拡大に伴い、開口１８ａと反対側に設けられた残りの係止爪１８ｂは、Ｐ３からＱ３へと移動され、やはり取付孔２４の周縁部の裏面に臨む位置となる。
【００２１】
このように爪付きワッシャ１８の略Ｃ字状の径の拡大は、取付用ネジ２０の締め付けに対して、供回り方向とその反対方向とで、開口１８ａの両端部に設けられた係止爪１８ｂ、１８ｂの位置の移動寸法が大きく相違する。そこで、この移動寸法の相違に応じて、アンテナベース１０の中央線Ｂに対して、楔状部材１０ｄを供回りと反対方向に適当な角度だけずらして設けることで、爪付きワッシャ１８の略Ｃ字状が拡大されて開口１８ａの両端部にある係止爪１８ｂ、１８ｂを、アンテナベース１０の中央線Ｂに対してほぼ対称となるようにすることができる。よって、拡大された状態で、開口１８ａの両端部にある係止爪１８ｂ、１８ｂを、それぞれ取付孔２４ａの両側のほぼ対称位置で周縁部の裏側に臨ませることが可能である。また、楔状部材１０ｄの斜面１０ｅにより、開口１８ａの一端部にある係止爪１８ｂの位置を、供回り方向へ移動するのを規制するのみでなく、斜面１０ｅに沿って移動させることで供回り方向と反対方向に移動させることができる。よって、斜面１０ｅを適宜に設定することで、開口１８ａの一端部にある係止爪１８ｂの位置を、取付孔２４ａの周縁部に確実に臨ませることができる。
【００２２】
次に、本発明の第２実施例を図８を参照して説明する。図８は、ケーブルを省いたアンテナ組み立て体に、爪付きワッシャと取付用ネジを組み付ける前の本発明の第２実施例の分解図である。図８において、図１ないし図７と同じまたは均等な部材には同じ符号を付けて重複する説明を省略する。
【００２３】
第２実施例において、第１実施例と大きく相違するところは、アンテナベース４０に取付用ネジ４２が一体に突設されたことにある。アンテナベース４０は導電金属で形成され、図８に示すごとく、第１実施例の雌ネジ１０ｃに代えて、下方に向けて取付用ネジ４２が一体に突設される。他の構造は、第１実施例と同様に、凸部、円柱部４０ｂ、楔状部材４０ｄ、斜面４０ｅ等が設けられている。
【００２４】
そして、取付用ネジ４２に螺合するナット４４は、導電金属で形成され、図８に示すごとく、円錐台部４４ａが設けられる。この円錐台部４４ａは、爪付きワッシャ１８の下部内径に対して、上部外径が小さく下側外径が大きくてテーパ状に拡がるように形成される。
【００２５】
そこで、図８のごとく各部材を配列して、アンテナベース４０の取付用ネジ４２に爪付きワッシャ１８を嵌挿させ、アンテナベース４０の楔状部材４０ｄに、爪付きワッシャ１８の開口１８ａが臨む位置関係に配設されて、取付用ネジ４２の下端部にナット４４が僅かに螺合されて一体化される。そして、第１実施例で図５および図６に示したのと同様に、この一体化されたものを車体２４の上方から取付孔２４ａに挿入して、仮止め爪２６、２６で仮止めされた状態とする。さらに、ナット４４を強く締め付けて、アンテナベース４０を車体２４に固定するとともに電気的導通を得る。
【００２６】
なお、第１実施例の取付用ネジ２０に代えて、円錐台状のブッシュを通常の頭付きの取付用ネジが嵌挿するようにしても良い。このブッシュは、爪付きワッシャ１８の下部内径に対して、上部外径が小さく下部外径が大きいテーパ状に拡がるように形成される。また、第２実施例のナット４４を、円錐台部４４ａに代わる円錐台状のブッシュと通常のナットに分割しても良い。爪付きワッシャ１８と取付用ネジの頭部の間にブッシュが介装され、または爪付きワッシャ１８とナットの間にブッシュが介装されるので、取付用ネジおよびナットの回転に伴う爪付きワッシャ１８を軸回りに供回りさせようとする力を軽減することができる。しかも、ブッシュにより爪付きワッシャ１８の下部内径を拡げることができるので、取付用ネジおよびナットに市販品を用いることができる。
【図面の簡単な説明】
【００２７】
【図１】アンテナベースにケースやアンテナエレメントおよびゴムパッキンが組み付けられたアンテナ組み立て体を示し、（ａ）は正面図、（ｂ）は底面図、（ｃ）はケーブルを省いた右側面図である。
【図２】図１（ｂ）のＡ矢視要部拡大図である。
【図３】爪付きワッシャを示し、（ａ）は平面図、（ｂ）は正面図、（ｃ）は底面図、（ｄ）は左側面図、（ｅ）は右側面図である。
【図４】ケーブルを省いたアンテナ組み立て体に、爪付きワッシャと取付用ネジを組み付ける前の第１実施例の分解図である。
【図５】ケーブルを省いたアンテナ組み付け体に爪付けワッシャと取付用ネジを組み付けて一体としたものを車体の取付孔に上方から挿入することを示す図である。
【図６】アンテナ組み立て体に爪付きワッシャと取付用ネジを組み付けて一体としたものを取付孔に挿入して仮止め状態とした底面図である。
【図７】図６の仮止め状態から取付用ネジを締め付けて爪付きワッシャを変形させて車体に固定した状態を示す底面図である。
【図８】ケーブルを省いたアンテナ組み立て体に、爪付きワッシャと取付用ネジを組み付ける前の第２実施例の分解図である。
【符号の説明】
【００２８】
１０、４０  アンテナベース
１０ａ  凸部
１０ｂ、４０ｂ  円柱部
１０ｃ  雌ネジ
１０ｄ、４０ｄ  楔状部材
１０ｅ、４０ｅ  斜面
１８  爪付きワッシャ
１８ａ  開口
１８ｂ  係止爪
２０  取付用ネジ
２０ａ  頭部
２０ｂ  円錐面状部
２２  ケーブル
２４  車体
２４ａ  取付孔
２６  仮止め爪
４４  ナット
４４ａ  円錐台部
【図１】
0004780640.tif 000002
【図２】
0004780640.tif 000003
【図３】
0004780640.tif 000004
【図４】
0004780640.tif 000005
【図５】
0004780640.tif 000006
【図６】
0004780640.tif 000007
【図７】
0004780640.tif 000008
【図８】
0004780640.tif 000009